(57)【特許請求の範囲】
【請求項１】
乳幼児の骨盤を支持する骨盤パッドを含み、
前記骨盤パッドは、
左右方向および前後方向に広がり、乳幼児用座席の前側の座部および後側の背もたれ部にまたがって敷設される基部と、
弾性素材で形成され、前記基部の前方部分に左右方向に離隔して配置される２個の隆起部を含み、これら左右１対の隆起部の左右方向間隔が前方へ向かうほど大きくなり、乳幼児の骨盤の坐骨をこれら左右１対の隆起部間に保持するための坐骨支持パッド部と、
弾性素材で形成され、前記基部の後方部分に左右方向に離隔して配置される２個の隆起部を含み、これら左右１対の隆起部の左右方向間隔が後方へ向かうほど大きくなり、乳幼児の坐骨よりも上方の骨盤部分をこれら左右１対の隆起部間に保持するための腰部支持パッド部とを備える、乳幼児支持パッド構造。
【請求項２】
前記坐骨支持パッド部は前記腰部支持パッド部よりも柔らかく形成される、請求項１に
記載の乳幼児支持パッド構造。
【請求項３】
前記坐骨支持パッド部の左右１対の隆起部における左右１対の稜線は、前記左右１対の
隆起部間の坐骨受け入れ空間を包み込むよう円弧状に延びる、請求項１または２に記載の
乳幼児支持パッド構造。
【請求項４】
前記腰部支持パッド部の左右１対の隆起部における左右１対の稜線は、前記左右１対の
隆起部間の腰部受け入れ空間を包み込むよう円弧状に延びる、請求項１〜３のいずれかに
記載の乳幼児支持パッド構造。
【請求項５】
前記坐骨支持パッド部の隆起部は略半円形状である、請求項３に記載の乳幼児支持パッ
ド構造。
【請求項６】
前記腰部支持パッド部の隆起部は略半円形状である、請求項４に記載の乳幼児支持パッ
ド構造。
【請求項７】
前記基部には、前記坐骨支持パッド部の左右１対の隆起部間で乳幼児の坐骨を受け入れ
るための切り欠きが形成される、請求項１〜６のいずれかに記載の乳幼児支持パッド構造
。
【請求項８】
前記基部には、前記腰部支持パッド部の左右１対の隆起部間で乳幼児の腰部を受け入れ
るための切り欠きが形成される、請求項１〜７のいずれかに記載の乳幼児支持パッド構造
。
【請求項９】
前記基部よりも後方に整列配置されて、乳幼児の頭部を受け入れるための凹部が形成さ
れる頭部パッドをさらに備える、請求項１〜８のいずれかに記載の乳幼児支持パッド構造
。
【発明の詳細な説明】
【技術分野】
【０００１】
本発明は、乳母車などの乳幼児用座席に取り付けられて、乳幼児の身体を適正な姿勢で支持するパッドに関する。
【背景技術】
【０００２】
乳母車等に取り付けられて乳幼児の身体を適正な姿勢で支持するパッドとしては従来、例えば、特開２００７−２２１２８号公報（特許文献１）や特開２００７−９９２０１号公報（特許文献２）に記載のクッションが知られている。特許文献１および特許文献２に記載のクッションは、乳母車の座席に取り付けられて、幼児の位置がずれないよう適度な姿勢保持効果を生じる頭部パッド、腰部パッド、および臀部パッドを備えている。そして腰部パッドは、山形に突出して幼児を左右両側から支持する左右１対の脇支持部により構成される。また臀部パッドは、臀部パッドの左右方向中心部にて突出する臀支持部にて幼児の臀部を支持しかつ臀部パッドの左右方向両端部にて臀支持部よりも大きく突出する１対の膝支持部にて幼児の膝を外側から支持するよう構成される。
【先行技術文献】
【特許文献】
【０００３】
【特許文献１】特開２００７−２２１２８号公報
【特許文献２】特開２００７−９９２０１号公報
【発明の概要】
【発明が解決しようとする課題】
【０００４】
ところで本発明の発明者は、鋭意研究を重ねた結果、乳幼児の健やかな発育のために乳幼児の体幹を適正に保持することが重要であるとの認識に至った。すなわち脊椎動物の体幹は脊柱によって支えられる。人間の脊柱は、上から下に向かって順次、頚椎、胸椎、腰椎、仙椎（または仙骨）、尾椎（または尾骨）から構成される。仙椎の左右両側には寛骨がそれぞれ接続し、寛骨、仙骨、尾骨は骨盤を構成する。寛骨は上から下に向かって順次、腸骨、坐骨、恥骨から構成される。着座中において、乳幼児用座席の座面に乳幼児の体重を伝達し乳幼児の体幹を支えるのは坐骨である。
【０００５】
そこで、乳幼児用座席に着座中の乳幼児の骨盤を、適正な位置および姿勢となるよう安定的に保持することができれば、脊柱の位置および姿勢が定まって、乳幼児の健やかな発育を促すことができる。
【０００６】
しかしながら上記従来のようなクッションにあっては、腰部パッドの脇支持部および臀部パッドの膝支持部は、幼児の骨盤を安定的に保持するものではなく、臀部パッドの臀支持部のみが、幼児の臀部の前方移動を規制してずりおちないようにするにすぎなかった。このため、上記従来のようなクッションでは乳幼児の体幹を適正に保持することができなかった。
【０００７】
本発明は、上述の実情に鑑み、乳幼児用座席に取り付けられて、乳幼児の健やかな発育のために乳幼児の体幹を適正に保持することができる乳幼児支持パッド構造を提供することを目的とする。
【課題を解決するための手段】
【０００８】
この目的のため本発明による乳幼児支持パッド構造は、乳幼児の骨盤を支持する骨盤パッドを含み、該骨盤パッドは、左右方向および前後方向に広がり、乳幼児用座席の前側の座部および後側の背もたれ部にまたがって敷設される基部と、弾性素材で形成され、基部の前方部分に左右方向に離隔して配置される２個の隆起部を含み、これら左右１対の隆起部の左右方向間隔が前方へ向かうほど大きくなり、乳幼児の骨盤の坐骨をこれら左右１対の隆起部間に保持するための坐骨支持パッド部と、弾性素材で形成され、基部の後方部分に左右方向に離隔して配置される２個の隆起部を含み、これら左右１対の隆起部の左右方向間隔が後方へ向かうほど大きくなり、乳幼児の坐骨よりも上方の骨盤部分をこれら左右１対の隆起部間に保持するための腰部支持パッド部とを備える。
【０００９】
かかる本発明によれば、坐骨支持パッド部が乳幼児の骨盤下部の坐骨を好適に保持する
とともに、腰部支持パッド部が乳幼児の坐骨より上方の骨盤上部を好適に保持することか
ら、乳幼児の骨盤が適正な位置および姿勢に保持され、かかる骨盤から上方へ延びる脊柱
も、適正な位置および姿勢に保持される。したがって、乳幼児用座席の椅子状態およびベッド状態において、乳幼児の体幹を適正な位置および姿勢に保持することができる。
【００１０】
坐骨支持パッド部および腰部支持パッド部はウレタンフォームやスポンジなどの弾性素材で形成されていればよく、その弾性係数（柔らかさ）は同じであってもよいが、好ましい実施形態として、坐骨支持パッド部は腰部支持パッド部よりも柔らかく形成される。かかる実施形態によれば、乳幼児の骨盤をある程度安定して保持しつつ、乳幼児の脚部の動きの自由度を得ることができる。
【００１１】
坐骨支持パッド部の左右１対の隆起部は前方に向かうにつれて左右方向外方へ延びるものであればよくその形状は特に限定されない。ここで好ましくは、坐骨支持パッド部の左右１対の隆起部における左右１対の稜線は、左右１対の隆起部間の坐骨受け入れ空間を包み込むよう円弧状に延びる。かかる実施形態によれば、坐骨支持パッド部は乳幼児の坐骨を左右１対の隆起部間に一層好適に保持することができる。
【００１２】
腰部支持パッド部の左右１対の隆起部は後方に向かうにつれて左右方向外方へ延びるものであればよくその形状は特に限定されない。ここで好ましくは、腰部支持パッド部の左右１対の隆起部における左右１対の稜線は、左右１対の隆起部間の腰部受け入れ空間を包み込むよう円弧状に延びる。かかる実施形態によれば、腰部支持パッド部は乳幼児の坐骨よりも上方の骨盤部分を左右１対の隆起部間に一層好適に保持することができる。
【００１３】
坐骨支持パッド部の隆起部の形状は特に限定されず、カマボコ形状、三日月形状、あるいは楕円形状であってもよいが、好ましくは、坐骨支持パッド部の隆起部は略半円形状である。かかる実施形態によれば、隆起部の保形性が向上して、乳幼児の坐骨を左右１対の隆起部間に一層好適に保持することができる。
【００１４】
腰部支持パッド部の隆起部の形状は特に限定されず、カマボコ形状、三日月形状、あるいは楕円形状であってもよいが、好ましくは、腰部支持パッド部の隆起部は略半円形状である。かかる実施形態によれば、隆起部の保形性が向上して、乳幼児の坐骨よりも上方の骨盤部分を左右１対の隆起部間に一層好適に保持することができる。
【００１５】
基部の形状は、これら坐骨支持パッド部と腰部支持パッド部とを連結するものであれば特に限定されない。例えば基部の形状は、左右方向および前後方向に広がる矩形であってもよいし、左右方向および前後方向に広がる円形であってもよい。好ましくは、基部には、坐骨支持パッド部の左右１対の隆起部間で乳幼児の坐骨を受け入れるための切り欠きが形成される。かかる実施形態によれば、切り欠きが乳幼児の坐骨を受け入れることから、坐骨支持パッド部は乳幼児の坐骨を左右１対の隆起部間に一層好適に保持することができる。
【００１６】
あるいは、基部には、腰部支持パッド部の左右１対の隆起部間で乳幼児の腰部を受け入れるための切り欠きが形成されてもよい。かかる実施形態によれば、切り欠きが乳幼児の腰部を受け入れることから、腰部支持パッド部乳幼児の腰部を左右１対の隆起部間に一層好適に保持することができる。
【００１７】
本発明は、坐骨支持パッド部および腰部支持パッド部を備えるものであればよいが、好ましい実施形態として、基部よりも後方に整列配置されて、乳幼児の頭部を受け入れるための凹部が形成される頭部パッドをさらに備える。かかる実施形態によれば、乳幼児の脊柱が左右方向に傾斜しないよう前後方向に延び、適正な姿勢に保持することができる。したがって乳幼児の体幹を適正な位置および姿勢に好適に保持することができる。
【発明の効果】
【００１８】
このように本発明は、着座中の乳幼児の骨盤に近い位置から当該骨盤を支持して、骨盤を適正な位置および姿勢に保持することができる。したがって、着座中の乳幼児の体幹が適正な位置および姿勢に保持されて、乳幼児の健やかな発育に貢献することができる。
【図面の簡単な説明】
【００１９】
【図１】本発明の一実施例になる乳幼児用座席を平置きした状態を示す平面図である。
【図２】図１の乳幼児用座席からベースシートを取り外して平置きした状態を示す平面図である。
【図３】同実施例の乳幼児支持パッド構造を取り外して平置きした状態を示す平面図である。
【図４】図３のＩＶ−ＩＶにおける断面図である。
【図５】図３のＶ−Ｖにおける断面図である。
【図６】図３のＶＩ−ＶＩにおける断面図である。
【図７】図３のＶＩＩ−ＶＩＩにおける断面図である。
【図８】図３のＶＩＩＩ−ＶＩＩＩにおける断面図である。
【図９】図３のＩＸ−ＩＸにおける断面図である。
【図１０】図３のＸ−Ｘにおける断面図である。
【図１１】図３のＸＩ−ＸＩにおける断面図である。
【発明を実施するための形態】
【００２０】
以下、本発明の実施の形態を、図面に示す実施例に基づき詳細に説明する。
【００２１】
図１は、本発明の一実施例になる乳幼児用座席を平置きした状態を示す平面図である。乳幼児用座席１１は乳幼児の臀部を下方から支持する座部１１ａと、乳幼児の背部を後方から支える背もたれ部１１ｂとを有し、図示しない乳母車のフレームに固定される。あるいは、室内用ベッド、車両用チャイルドシートなどの乳母車以外の他の形態の育児器具に固定されてもよい。
【００２２】
背もたれ部１１ｂは、座部１１ａに対するリクライニング角度が変更可能であり、背もたれ部１１ｂを前方に起こして椅子状態にされる他、背もたれ部１１ｂを後傾させて図１のように水平なベッド状態にもなる。このため、乳幼児用座席１１の座部側を前方とし、背もたれ部側を後方として、前後方向と称する。また本明細書中、左右方向とは、乳幼児用座席１１に着座する乳幼児からみて左側および右側をいい、上述した前後方向に対し直角な幅方向をいう。乳幼児用座席１１には、座部１１ａから背もたれ部１１ｂにまたがってベースシート１４が取り付けられる。
【００２３】
図２は、乳幼児用座席１１からベースシート１４を取り外し平置きした状態を示す平面図である。ベースシート１４は厚み略一定の弾性材料で形成され、座部１４ａと背もたれ部１４ｂとの境界部分がくびれた略８の字形状である。そして座部１４ａが背もたれ部１４ｂよりも小さく形成される。
【００２４】
乳幼児用座席１１の中央領域には、ベースシート１４と略同一形状の凹部１５が形成されている。ベースシート１４は、深さ略一定の凹部１５に受け入れられて、図１に示すように乳幼児用座席１１の上面に取り付けられる。
【００２５】
乳幼児用座席１１の座部１１ａおよびベースシート１４の座部１４ａには股ベルト通し孔１６がそれぞれ形成される。ベースシート１４を乳幼児用座席１１に取り付けた状態で、ベースシート１４の股ベルト通し孔１６は、図１に示すように乳幼児用座席１１の股ベルト通し孔１６に一致する。
【００２６】
乳幼児用座席１１の背もたれ部１１ｂおよびベースシート１４の背もたれ部１４ｂには左右２箇所で１対をなす肩ベルト通し孔１７，１７が形成される。ベースシート１４を乳幼児用座席１１に取り付けた状態で、ベースシート１４の肩ベルト通し孔１７は、図１に示すように乳幼児用座席１１の肩ベルト通し孔１７に一致する。
【００２７】
ベースシート１４を乳幼児用座席１１に取り付けた状態で、これら通し孔１６，１７には、乳幼児の身体を拘束するための股ベルトと１対の肩ベルトがそれぞれ挿通される。なお、肩ベルト通し孔１７，１７は、前後方向に間隔を開けて複数対形成される。これにより肩ベルトの位置を、月齢とともに成長する乳幼児の体格に合わせることができる。
【００２８】
ベースシート１４の背もたれ部１４ｂ上には、ウレタンフォームやスポンジなどの弾性素材で形成された頭部パッド２１が取り付け固定される。頭部パッド２１は乳幼児の頭部を支持するものである。頭部パッド２１の上面のうち、左側縁部分と、前縁部分と、右側縁部分には、頭部パッド２１の上面から盛り上がって、左側隆起部２２と、前隆起部２３と、右側隆起部２４がそれぞれ一体形成される。これら左側隆起部２２、前隆起部２３、および右側隆起部２４は、連続した隆起部を構成する。詳しくは後述する。
【００２９】
頭部パッド２１の下面には図示しない取付バンドが縫着され、かかる取付バンドを肩ベルト通し孔１７に挿通して、頭部パッド２１を背もたれ部１４ｂ上に取り付け固定する。あるいは、頭部パッド２１の下面および背もたれ部１４ｂ上に面ファスナが縫着され、これら面ファスナを貼り合わせて、頭部パッド２１を背もたれ部１４ｂ上に取り付け固定する。頭部パッド２１は、前後方向位置を調整可能に、背もたれ部１４ｂ上に取り付けられる。これにより、頭部パッド２１の取付位置を、月齢とともに成長する乳幼児の体格に合わせることができる。
【００３０】
ベースシート１４上における座部１４ａと背もたれ部１４ｂとの境界部分には、ウレタンフォームやスポンジなどの弾性素材で形成された骨盤パッド３１が取り付け固定される。骨盤パッド３１は乳幼児の骨盤を支持するものである。骨盤パッド３１の上面のうち前方部分には、骨盤パッド３１の上面から盛り上がる２個の隆起部であって、乳幼児の坐骨を支持するための坐骨支持パッド部３２が一体形成される。骨盤パッド３１の上面のうち後方部分には、骨盤パッド３１の上面から盛り上がる２個の隆起部であって、乳幼児の坐骨よりも上方の骨盤部分を支持するための腰部支持パッド部３３が一体形成される。これらパッド部３２，３３は共に骨盤部分を支持するが、腰部支持パッド部３３は骨盤の上部を支持し、坐骨支持パッド部３２は骨盤の下部を支持し、これにより骨盤の位置および姿勢を適正に保持する。詳しくは後述する。
【００３１】
骨盤パッド３１の下面には図示しない取付バンドが縫着され、かかる取付バンドをベースシート１４における座部１４ａと背もたれ部１４ｂとの境界箇所に掛け渡して、頭部パッド２１をベースシート１４上に取り付け固定する。あるいは、頭部パッド２１の下面およびベースシート１４上面に面ファスナが縫着され、これら面ファスナを貼り合わせて、骨盤パッド３１をベースシート１４上に取り付け固定する。かくして骨盤パッド３１は、座部１４ａおよび背もたれ部１４ｂにまたがって敷設される。
【００３２】
これら頭部パッド２１および骨盤パッド３１は乳幼児の体幹を好適に支持する乳幼児支持パッド構造を構成する。
【００３３】
図３は、頭部パッドおよび骨盤パッドを取り外して平置きした状態を示す平面図である。また図４〜図７は、前後方向に対し直角な平面で切断した頭部パッドの断面図である。また図８〜図１１は、前後方向に対し直角な平面で切断した骨盤パッドの断面図である。
【００３４】
まず頭部パッド２１について説明すると、頭部パッド２１の基部２５は、弾性素材で厚み一定に形成され、平坦な上面および下面を有する。基部２５の上面に一体形成される頭部パッド２１の隆起部２２〜２４は、左右対称であり、一点鎖線で示すように連続した１本の稜線２１ｒを有する。稜線２１ｒは、後方に向かって開いた略Ｃ字状であり、やや丸みを帯びながら延びて、隆起部２２〜２４に三方を包囲された乳幼児の頭部受け入れ領域２６を取り囲む。そして、左側隆起部２２および右側隆起部２４はおよそ前後方向に延び、前隆起部２３はおよそ左右方向に延びる。なお図７に示すように、前隆起部２３は、その左右方向中央部が左右方向両端部よりも低くなっている。これにより乳幼児の頚部を安定して支持することができる。
【００３５】
基部２５の上面において隆起部２２〜２４に三方を包囲された乳幼児の頭部受け入れ領域２６には、複数個の通気孔２７が形成される。そして平坦面に形成された頭部受け入れ領域２６は乳幼児の後頭部を支持する。また左側隆起部２２および右側隆起部２４は乳幼児の後頭部を頭部受け入れ領域２６に保持する。通気孔２７は、乳幼児の頭部の通気を確保する。
【００３６】
次に骨盤パッド３１について説明する。骨盤パッド３１は、厚み略一定の弾性素材で平坦に形成されて左右方向および前後方向に広がる基部３４と、基部３４上の前方部分に左右方向に離隔して配置される２個の隆起部を含む坐骨支持パッド部３２と、基部３４上の後方部分に左右方向に離隔して配置される２個の隆起部を含む腰部支持パッド部３３とを備える。
【００３７】
坐骨支持パッド部３２の隆起部３２ｌは左側に配置され、坐骨支持パッド部３２の隆起部３２ｍは右側に配置され、これら２個の隆起部３２ｌ，３２ｍは弾性素材で左右対称形状にされる。そして、これら左右１対の隆起部３２ｌ，３２ｍの左右方向間隔は、前方へ向かうほど大きくなる。乳幼児が幼児用座席１１に着座すると、乳幼児の坐骨が左右１対の隆起部３２ｌ，３２ｍ間に沈み込み、坐骨支持パッド部３２は乳幼児の臀部の形状に応じて好適に弾性変形して、左右方向外側から坐骨に近い皮膚に柔らかく接触する。これにより坐骨支持パッド部３２は、乳幼児の坐骨を、これら隆起部３２ｌ，３２ｍの間に好適に保持することができる。
【００３８】
腰部支持パッド部３３の隆起部３３ｌは左側に配置され、腰部支持パッド部３３の隆起部３３ｍは右側に配置され、これら２個の隆起部３３ｌ，３３ｍは弾性素材で左右対称形状にされる。そして、これら左右１対の隆起部３３ｌ，３３ｍの左右方向間隔は、後方へ向かうほど大きくなる。乳幼児が幼児用座席１１に着座すると、乳幼児の坐骨よりも上方の骨盤部分が左右１対の隆起部３３ｌ，３３ｍ間に沈み込み、腰部支持パッド部３３は乳幼児の腰部の形状に応じて好適に弾性変形して左右方向外側から坐骨よりも上方の骨盤部分に近い皮膚に柔らかく接触する。これにより腰部支持パッド部３３は、乳幼児の坐骨よりも上方の骨盤部分を、これら隆起部３３ｌ，３３ｍの間に好適に保持することができる。
【００３９】
このように坐骨支持パッド部３２および腰部支持パッド部３３が相俟って乳幼児の骨盤を安定して保持することができつつも、乳幼児の両脚の動きにある程度の自由度を与えるため、坐骨支持パッド部３２は腰部支持パッド部３３よりも柔らかく形成される。
【００４０】
図３に一点鎖線で示す坐骨支持パッド部３２の左右１対の隆起部３２ｌ，３２ｍにおける左右１対の稜線３２ｒは、左右１対の隆起部３２ｌ，３２ｍ間の坐骨受け入れ空間を包み込むよう円弧状に延びる。これにより坐骨支持パッド部３２は、乳幼児の坐骨を、これら隆起部３２ｌ，３２ｍの間に一層好適に保持することができる。
【００４１】
図３に一点鎖線で示す腰部支持パッド部３３の左右１対の隆起部３３ｌ，３３ｍにおける左右１対の稜線３３ｒは、左右１対の隆起部３３ｌ，３３ｍ間の腰部受け入れ空間を包み込むよう円弧状に延びる。これにより腰部支持パッド部３３は、乳幼児の坐骨よりも上方の骨盤部分を、これら隆起部３３ｌ，３３ｍの間に一層好適に保持することができる。
【００４２】
坐骨支持パッド部３２の隆起部３２ｌ，３２ｍは略半円形状である。すなわち、左側の隆起部３２ｌの輪郭線のうち半円弧部分は左方へ向かい、直線部分は右方へ向かう。そして右側の隆起部３２ｍの輪郭線のうち半円弧部分は右方へ向かい、直線部分は左方へ向かう。これにより隆起部３２ｌ，３２ｍの保形性が向上して、乳幼児の坐骨を、これら隆起部３２ｌ，３２ｍの間に一層好適に保持することができる。上述した左右の隆起部３２ｌ，３２ｍの直線部分に着目すると、これらの左右方向間隔が前方へ向かうほど大きくなる（いわゆるハの字形状）。
【００４３】
また腰部支持パッド部３３の隆起部３３ｌ，３３ｍは略半円形状である。すなわち、左側の隆起部３３ｌの輪郭線のうち半円弧部分は左方へ向かい、直線部分は右方へ向かう。そして右側の隆起部３３ｍの輪郭線のうち半円弧部分は右方へ向かい、直線部分は左方へ向かう。これにより隆起部３３ｌ，３３ｍの保形性が向上して、乳幼児の坐骨よりも上方の骨盤部分を、これら隆起部３３ｌ，３３ｍの間に一層好適に保持することができる。上述した左右の隆起部３３ｌ，３３ｍの直線部分に着目すると、これらの左右方向間隔が後方へ向かうほど大きくなる（いわゆる逆ハの字形状）。
【００４４】
基部３４のうち、２個で左右１対の隆起部３２ｌ，３２ｍ間には通気孔３５が複数形成される。また２個で左右１対の隆起部３３ｌ，３３ｍ間にも通気孔３５が複数形成される。通気孔３５は、乳幼児の腰部の通気を確保する。
【００４５】
基部３４の上面のうち坐骨支持パッド部３２と腰部支持パッド部３３との間には、左右方向に延びる溝部３８が形成される。溝部３８は基部３４の折り目の役割を果たし、基部３４の前方部分を水平にしたまま基部３４の後方部分が前方へ容易に起き上がるよう作用する。
【００４６】
なお本実施例の基部３４は弾性素材で形成され、乳幼児の体重が作用すると弾性変形するが、変形例として乳幼児の体重が作用しても弾性変形しない樹脂で形成されてもよい。例えば、基部３４が顕著な弾性を有しない素材で形成されてもよい。例示すると、ポリエチレン・ポリプロピレン・メタクリル樹脂等の熱可塑性プラスチックや、熱硬化性プラスチックで基部３４が形成される。この場合、基部３４の上面に隆起部３２ｌ，３２ｍ，３３ｌ，３３ｍが貼着される。
【００４７】
説明を本実施例に戻すと、基部３４には、坐骨支持パッド部３２の左右１対の隆起部３２ｌ，３２ｍ間で乳幼児の坐骨を受け入れるための切り欠き３６が形成される。切り欠き３６は隆起部３２ｌ，３２ｍに隣接し、後方に向かって凸となる半円弧近似の略台形形状である。切り欠き３６が乳幼児の坐骨を受け入れることから、坐骨支持パッド部３２は、乳幼児の坐骨を、これら隆起部３２ｌ，３２ｍの間に一層好適に保持することができる。
【００４８】
また基部３４には、腰部支持パッド部３３の左右１対の隆起部３３ｌ，３３ｍ間で乳幼児の腰部を受け入れるための切り欠き３７が形成される。切り欠き３７は隆起部３３ｌ，３３ｍに隣接し、前方に向かって凸となる半円弧近似の略台形形状である。切り欠き３７が乳幼児の腰部を受け入れることから、腰部支持パッド部３３は、乳幼児の腰部を、これら隆起部３３ｌ，３３ｍの間に一層好適に保持することができる。
【００４９】
ところで本実施例によれば、坐骨支持パッド部３２が乳幼児の骨盤下部の坐骨を隆起部３２ｌ，３２ｍの間に好適に保持するとともに、腰部支持パッド部３３が乳幼児の坐骨より上方の骨盤上部を隆起部３３ｌ，３３ｍの間に好適に保持することから、乳幼児の骨盤が適正な位置および姿勢に保持され、かかる骨盤から上方へ延びる脊柱も、適正な位置および姿勢に保持される。したがって、乳幼児用座席１１の椅子状態およびベッド状態において、乳幼児の体幹を適正な位置および姿勢に保持することができる。なお、腰部支持パッド部３３が保持する乳幼児の坐骨より上方の骨盤上部とは、着座中の乳幼児の骨盤のうち座部１４ａから離れた部分をいう。すなわち、乳幼児の体格が比較的大きい場合には主として寛骨であるが、乳幼児の体格が比較的小さい場合には、寛骨および坐骨上部であると理解されたい。
【００５０】
また本実施例によれば、基部３４よりも後方に頭部パッド２１が整列配置される。頭部パッド２１は乳幼児の後頭部を受け入れることから、乳幼児の脊柱が前後方向に延び、左右方向に傾斜しないよう適正な姿勢に保持することができる。したがって乳幼児の体幹を適正な位置および姿勢に好適に保持することができる。
【００５１】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００５２】
この発明になる乳幼児支持パッド構造は、乳母車、室内用ベッド、車両用チャイルドシートなどの育児器具において有利に利用される。
【符号の説明】
【００５３】
１１  乳幼児用座席、１４  ベースシート、１５  凹部、１６  股ベルト通し孔、２１  頭部パッド、２１ｒ  稜線、２２  左側隆起部、２３  前隆起部、２４  右側隆起部、２５  基部、２６  頭部受け入れ領域、２７  通気孔、３１  骨盤パッド、３２  坐骨支持パッド部、３２ｌ，３２ｍ  隆起部、３２ｒ  稜線、３３  腰部支持パッド部、３３ｌ，３３ｍ  隆起部、３３ｒ  稜線、３４  基部、３５  通気孔、３６，３７  切り欠き、３８  溝部。
【図１】
0005707143.tif 000002
【図２】
0005707143.tif 000003
【図３】
0005707143.tif 000004
【図４】
0005707143.tif 000005
【図５】
0005707143.tif 000006
【図６】
0005707143.tif 000007
【図７】
0005707143.tif 000008
【図８】
0005707143.tif 000009
【図９】
0005707143.tif 000010
【図１０】
0005707143.tif 000011
【図１１】
0005707143.tif 000012